(57)【要約】【課題】連結具自体の強度が十分発揮されるとともに、取り付けが容易であり、なおかつ連結時の保持力も十分であるＨ型鋼と木質部材との連結具を提供しようとするものである。【解決手段】横断面をクランク状で、かつＨ型鋼の端面の厚さよりやや深めに屈曲させた２段のプレート構造からなるＨ型鋼と木質部材との連結具であり、段差の木質部材側の平面部には、木質部材への固定用ビス孔を備えるとともに、段差のＨ型鋼側の、Ｈ型鋼を木質部材との間で挟み込む平面部には、その先端を木質部材の方向に向けた屈曲部を形成したことを特徴とするＨ型鋼と木質部材との連結具。【選択図】          図１
2005060994.tif 000002
【特許請求の範囲】
【請求項１】
横断面をクランク状で、かつＨ型鋼の端面の厚さよりやや深めに屈曲させた２段のプレート構造からなるＨ型鋼と木質部材との連結具であり、段差の木質部材側の平面部には、木質部材への固定用ビス孔を備えるとともに、段差のＨ型鋼側の、Ｈ型鋼を木質部材との間で挟み込む平面部には、その先端を木質部材の方向に向けた屈曲部を形成したことを特徴とするＨ型鋼と木質部材との連結具。
【請求項２】
段差の木質部材側の平面部とＨ型鋼側の平面部にまたがって、適宜本数のリブを形成したことを特徴とする請求項１に記載のＨ型鋼と木質部材との連結具。
【請求項３】
Ｌ字状断面からなるＨ型鋼と木質部材との連結具であり、Ｌ字状の垂直部分の木質部材側の平面部には、木質部材への固定用ビス孔を備えるとともに、Ｌ字状の水平部分はＨ型鋼の端面の厚さよりやや深めの位置で屈曲させ、かつＨ型鋼を木質部材との間で挟み込む平面部には、その先端を木質部材の方向に向けた屈曲部を形成したことを特徴とするＨ型鋼と木質部材との連結具。
【請求項４】
Ｌ字状の木質部材側の平面部とＨ型鋼側の平面部にまたがって、適宜本数のリブを形成したことを特徴とする請求項３に記載のＨ型鋼と木質部材との連結具。
【発明の詳細な説明】
【技術分野】
【０００１】
この発明は、建築関係等で使用するＨ型鋼と木質部材との連結具に関するものである。
【背景技術】
【０００２】
従来より、建築関係等において、鉄骨と木質部材とを融合させた工法が用いられている。その場合に両者を締結する必要があるが、その方法として例えば床組みの場合において、Ｈ字型鋼材（以下、Ｈ型鋼）等からなる鉄骨に上向きにボルトを立設し、そのボルト位置に対応するほぞ、およびボルト孔を木質部材に形成して、上記ボルトで木質部材を締結することが行なわれている。
しかしながら、鉄骨に上向きにボルトが立設されていて、各種の作業中に鉄骨上を歩行する必要があってつまづき易く、特に高所の作業においては非常に大きな危険を伴うものであった。
【０００３】
そのため、Ｈ字型鋼材（以下、Ｈ型鋼）を梁としてその上に根太を配する場合における締結具としては実開昭５０−８９１１２号公報（特許文献１）、実開昭５６−７６８３２号公報（特許文献２）及び実開昭５６−７６８３３号公報（特許文献３）などが開示されている。これらは図７に示すように、いずれも木質部材８の側面に板状の金具１１を取り付け、それに設けたスリット１２をＨ型鋼９の端部にはめ込む構造のものである。
【０００４】
【特許文献１】実開昭５０−８９１１２号公報
【特許文献２】実開昭５６−７６８３２号公報
【特許文献３】実開昭５６−７６８３３号公報
【発明の開示】
【発明が解決しようとする課題】
【０００５】
しかしながら、従来のこの種締結具は、金具と木質部材とは面同士の結合形態をとるものの、金具とＨ型鋼とは面同士を交差させる方向での係止構造をとるため、金具の強度に問題があった。また、Ｈ型鋼の寸法精度等の問題から、Ｈ型鋼の端部の厚みとスリット１２の幅とを寸法的に正確に合わせることが難しく、はめ込むことができなかったり、またはめ込むことができてもがたつき易いという問題があった。
【０００６】
そこでこの発明のＨ型鋼と木質部材との連結具は、上記課題を解決するとともに、連結具自体の強度が十分発揮されるとともに、取り付けが容易であり、なおかつ連結時の保持力も十分であるＨ型鋼と木質部材との連結具を提供しようとするものである。
【課題を解決するための手段】
【０００７】
すなわちこの発明のＨ型鋼と木質部材との連結具は、横断面をクランク状で、かつＨ型鋼の端面の厚さよりやや深めに屈曲させた２段のプレート構造からなるＨ型鋼と木質部材との連結具であり、段差の木質部材側の平面部には、木質部材への固定用ビス孔を備えるとともに、段差のＨ型鋼側の、Ｈ型鋼を木質部材との間で挟み込む平面部には、その先端を木質部材の方向に向けた屈曲部を形成したことを特徴とするものである。
【０００８】
この発明のＨ型鋼と木質部材との連結具は、上記段差の木質部材側の平面部とＨ型鋼側の平面部にまたがって、適宜本数のリブを形成したことをも特徴とするものである。
【０００９】
またこの発明のＨ型鋼と木質部材との連結具は、Ｌ字状断面からなるＨ型鋼と木質部材との連結具であり、Ｌ字状の垂直部分の木質部材側の平面部には、木質部材への固定用ビス孔を備えるとともに、Ｌ字状の水平部分はＨ型鋼の端面の厚さよりやや深めの位置で屈曲させ、かつＨ型鋼を木質部材との間で挟み込む平面部には、その先端を木質部材の方向に向けた屈曲部を形成したことを特徴とするものである。
【００１０】
この発明のＨ型鋼と木質部材との連結具は、Ｌ字状の木質部材側の平面部とＨ型鋼側の平面部にまたがって、適宜本数のリブを形成したことをも特徴とするものである。
【発明の効果】
【００１１】
この発明は以上のように連結具の平面部分でＨ型鋼の端部を保持する構成としたので、取り付けも簡単であり、連結具自体の強度は十分であるとともに、Ｈ型鋼へ取り付けた際に、強固な保持力を得ることが可能なＨ型鋼と木質部材との連結具を提供することできるようになった。
その他、次のような作用効果を備えている。
１）Ｈ型鋼からなる鉄骨上にボルトが立設されていないため、歩行の際に障害となる出っ張りもなく、安全性が大幅に向上した。
２）ボルト位置に対応するほぞ、およびボルト孔を木質部材に形成する必要がなく、墨付けが不要となって作業に手間がかからない。
３）したがってＨ型鋼と木質部材とを連結する際の作業性が大幅に向上する。
【発明を実施するための最良の形態】
【００１２】
以下、図面に基づきこの発明のＨ型鋼と木質部材との連結具実施の形態について詳述する。
図１はこの発明のＨ型鋼と木質部材との連結具（以下、連結具）の１実施例を示す平面図（ａ）および側面図（ｂ）、図２は使用状態の断面図、図３はこの発明のＨ型鋼と木質部材との連結具の他の実施例を示す斜視図、図４はその要部断面図、図５は木質部材部分の連結部の側面図、図６は木質部材部分の連結部の底面図である。
【００１３】
図１および図２に示すように、この発明の連結具１は、横断面をクランク状とした金属製で、かつＨ型鋼９の端面の厚さよりやや深めに屈曲させた２段のプレート構造からなるものである。そして、上記Ｈ型鋼９の端面の厚さよりやや深めの段差部３を挟んで木質部材８側の平面部２−１には、木質部材８への固定用ビス孔５を備えている。この固定用ビス孔５の位置や数は、連結具１のサイズや形状に応じて適宜決定することができる。
【００１４】
また、段差部３のＨ型鋼９側の、Ｈ型鋼９を木質部材８との間で挟み込む平面部２−２には、その先端を木質部材８の方向に向けた屈曲部４が形成してある。この屈曲部４の先端からの距離や屈曲させる深さは、金属製の連結具１の厚みや反発弾性、要求される保持力等を勘案して適宜決定することができる。
なお、上記段差部３の木質部材８側の平面部２−１とＨ型鋼９側の平面部２−２にまたがって、適宜本数のリブ７が形成されている。図では連結具の長さ方向に所定の間隔で一対形成されている。このリブ7は段差部３の強度を高めるためのものであるが、連結具１のプレス等による加工時等に一体的に形成することが望ましい。
【００１５】
次に、この発明の連結具１の使用状態について説明する。
図２に示すように、例えば梁としてのＨ型鋼９の上面に根太としての木質部材（角材）８を載置し、木質部材８とＨ型鋼９との境目にできる段差１０に適合させてこの連結具１をあてがい、固定用ビス孔５に挿通したビス６で木質部材８に固定する。
【００１６】
このとき、固定用ビス孔５に挿通したビス６を木質部材８にねじ込むことによりＨ型鋼９側の平面部２−２の屈曲部４よりも先端の部分が弾性を発揮して、連結具１は木質部材８との間でより強固にＨ型鋼９を挟み付ける。
【００１７】
このように、木質部材８とこの連結具１とは面同士の締結であるとともに、この連結具１はＨ型鋼９に対して線接触となり、段差部３の高さとＨ型鋼９側の平面部２−２の屈曲率によっては、ビス６の締め付けによってＨ型鋼９側の平面部２−２の屈曲が延びて平面となり、面接触とすることもできる。したがって、連結具１自体の強度は十分であり、リブ７の存在と相まって、Ｈ型鋼９の保持力もより大きなものとすることができる。
【００１８】
なお、図２ではこの発明のＨ型鋼と木質部材との連結具１をＨ型鋼９の両側に取り付けた状態を例示したが、Ｈ型鋼９の片側のみに取り付けることもでき、その保持力を考えればそれだけで充分な場合も多い。
【００１９】
図３および図４にこの発明の連結具の他の実施例を示す。この実施例における連結具は、Ｌ字状断面からなるＨ型鋼と木質部材との金属製連結具２１である。そして、上記Ｈ型鋼９の端面の厚さよりやや深め位置で、やや突出するよう屈曲させた突出部２３を挟んで木質部材８側の平面部２２−１には、木質部材８への固定用ビス孔２５を備えている。上記突出部２３の内径は、ほぼＨ型鋼９の端面の厚さに等しい幅に形成されている。また固定用ビス孔２５の位置や数は、連結具２１のサイズや形状に応じて適宜決定することができる。
【００２０】
また、突出部２３をはさんでＨ型鋼９側の、Ｈ型鋼９を木質部材８との間で挟み込む平面部２２−２には、その先端を木質部材８の方向に向けた屈曲部２４が形成してある。この屈曲部２４の先端からの距離や屈曲させる深さは、金属製の連結具２１の厚みや反発弾性、要求される保持力等を勘案して適宜決定することができる。
なお、上記突出部２３の木質部材８側の平面部２２−１とＨ型鋼９側の平面部２２−２にまたがって、適宜本数のリブ２７が形成されている。図では連結具の長さ方向に所定の間隔で一対形成されている。このリブ２7は突出部２３の強度を高めるためのものであるが、連結具２１のプレス等による加工時等に一体的に形成することが望ましい。
【００２１】
次に、この発明の連結具１の使用状態について説明する。
図３に示すように、例えば梁としてのＨ型鋼９に沿ってその上面に根太としての木質部材（角材）８を載置し、木質部材８とＨ型鋼９との境目にできる屈曲部３０に適合させてこの連結具２１をあてがい、固定用ビス孔２５に挿通したビス２６で木質部材８に固定する。
【００２２】
このとき、固定用ビス孔２５に挿通したビス２６を木質部材８にねじ込むことによりＨ型鋼９側の平面部２２−２の屈曲部２４よりも先端の部分が弾性を発揮して、連結具２１は木質部材８との間でより強固にＨ型鋼９を挟み付ける。
【００２３】
このように、木質部材８とこの連結具２１とは面同士の締結であるとともに、この連結具２１はＨ型鋼９に対して線接触となり、突出部２３の深さとＨ型鋼９側の平面部２２−２の屈曲率によっては、ビス２６の締め付けによってＨ型鋼９側の平面部２２−２の屈曲が延びて平面となり、面接触とすることもできる。したがって、連結具２１自体の強度は十分であり、リブ２７の存在と相まって、Ｈ型鋼９の保持力もより大きなものとすることができる。
【００２４】
なお、図３および図５に示すＬ字状連結具４１は、木質部材８どうしをＴ字状に連結するためのものであり、Ｔ字状のほぼ直角の連結部分に当接して使用される。４５は固定用ビス孔、４７はリブである。
【００２５】
なお、図３および図６に示すＬ字状連結具５１は、木質部材８を直線状に連結するためのものであり、木質部材８どうしを突き合わせた部分に両方の木質部材８にまたがって当接して使用される。５５は固定用ビス孔である。
【００２６】
上記各実施例では、この発明のＨ型鋼と木質部材との連結具１，２１を建屋の２階部分の梁に適用した場合を示したが、Ｈ型鋼と木質部材との連結部分であれば、梁への適用に何ら限定されるものではない。
【産業上の利用可能性】
【００２７】
この発明は以上のように建築関係等において、鉄骨と木質部材とを融合させた工法において用いられるものであり、H型鋼の梁と２階部分の木製床材との連結やH型鋼の梁と木製天井材との連結、あるいはその他のH型鋼と木質部材との連結に好適に使用して強固な保持力を得ることが可能な、Ｈ型鋼と木質部材との連結具を提供することができる。
【図面の簡単な説明】
【００２８】
【図１】この発明のＨ型鋼と木質部材との連結具の１実施例を示す平面図（ａ）および側面図（ｂ）である。
【図２】使用状態の断面図である。
【図３】この発明のＨ型鋼と木質部材との連結具の他の実施例を示す斜視図である。
【図４】その要部断面図である。
【図５】木質部材部分の連結部の側面図である。
【図６】木質部材部分の連結部の底面図である。
【図７】従来例を示す概略断面図である。
【符号の説明】
【００２９】
１  連結具
２−１  平面部
２−２  平面部
３  段差部
４  屈曲部
５  ビス孔
６  ビス
７  リブ
８  木質部材
９  Ｈ型鋼
１０  段差
１１  従来の金具
１２  スリット
２１  連結具
２２−１  平面部
２２−２  平面部
２３  突出部
２４  屈曲部
２５  固定用ビス孔
２６  ビス
２７  リブ
３０  屈曲部
４１  Ｌ字状連結具
４５  固定用ビス孔
４７  リブ
５１  Ｌ字状連結具
５５  固定用ビス孔
【図１】
2005060994.tif 000003
【図２】
2005060994.tif 000004
【図３】
2005060994.tif 000005
【図４】
2005060994.tif 000006
【図５】
2005060994.tif 000007
【図６】
2005060994.tif 000008
【図７】
2005060994.tif 000009